(57)【要約】【課題】  本発明はオーブンドアにおいて、特にキャビティ内部から外部に漏洩する電磁波を遮蔽するためにスロットの長さの補償を通じて遮蔽性能を改善した電磁波遮蔽装置に関するものである。【解決手段】  本発明は、キャビティ内部から外部に漏洩する多様な形態の入射角を有する電磁波を遮蔽するためのオーブンドアの電磁波遮蔽装置において、前記ドアの内側に連結されたチョーク底面、前記チョーク底面から垂直に曲折されたチョーク内側面、および、前記チョーク内側面から曲折されてキャビティの周囲面と接触するチョーク上面を具備したチョーク部と、前記チョーク上面および前記チョーク内側面に、一定の間隔でもって、チョーク上面の終端からチョーク内側面の長さの半分以下まで延長され形成されたスロット部とを含むことを特徴とするオーブンドアの電磁波遮蔽装置を提供する。【選択図】      図１０
2005106461.tif 000002
【特許請求の範囲】
【請求項１】
キャビティ内部から外部に漏洩する多様な形態の入射角を有する電磁波を遮蔽するためのオーブンドアの電磁波遮蔽装置において、
前記ドアの内側に連結されたチョーク底面、前記チョーク底面から垂直に曲折されたチョーク内側面、および、前記チョーク内側面から曲折されてキャビティの周囲面と狭い間隔でもって接触するチョーク上面を具備したチョーク部と、
前記チョーク上面および前記チョーク内側面に、一定の間隔でもって、前記チョーク上面の終端から前記チョーク内側面の長さの半分以下まで延長され形成されたスロット部とを含むことを特徴とするオーブンドアの電磁波遮蔽装置。
【請求項２】
前記スロット部は、前記チョーク上面の長さに形成された長スロットと、前記長スロットからチョーク内側面に延長され形成された短スロットとを含むことを特徴とする請求項１に記載のオーブンドアの電磁波遮蔽装置。
【請求項３】
前記チョーク上面に形成されたスロットの幅と、前記チョーク内側面に形成されたスロットの幅とがお互いに異なることを特徴とする請求項１に記載のオーブンドアの電磁波遮蔽装置。
【請求項４】
前記短スロットの幅が前記長スロットの幅より広いことを特徴とする請求項２に記載のオーブンドアの電磁波遮蔽装置。
【請求項５】
前記長スロットは、前記短スロットの幅と等しい第１スロット幅と、前記第１スロット幅と同じかまたは狭い第２スロット幅とを含むことを特徴とする請求項２に記載のオーブンドアの電磁波遮蔽装置。
【請求項６】
前記短スロットは、前記長スロットの幅と等しい第１のスロット幅と、前記第１のスロット幅と同じかまたは広い第２のスロット幅とを含むことを特徴とする請求項２に記載のオーブンドアの電磁波遮蔽装置。
【請求項７】
前記長スロットは、チョーク内側面下端の幅がチョーク内側面上端の幅より広く形成されたことを特徴とする請求項２に記載のオーブンドアの電磁波遮蔽装置。
【請求項８】
前記チョーク部は、前記チョーク上面で前記チョーク内側面と対向するように曲折されて前記スロットが形成されたチョーク外側面をさらに具備することを特徴とする請求項１に記載のオーブンドアの電磁波遮蔽装置。
【請求項９】
前記チョーク部は、前記チョーク内側面から少なくとも２回曲折されていることを特徴とする請求項１に記載のオーブンドアの電磁波遮蔽装置。
【請求項１０】
キャビティの前面板と接触するドアの内側端部でＬ字形に曲折されてその曲折された位置で前記キャビティから外部に放射される電磁波を遮蔽する装置において、
ドア端部の第１チョーク面、および前記第１チョーク面で直角に曲折された第２チョーク面で構成されたチョーク部と、
前記第１および第２チョーク面に沿って一定の間隔でもって形成され、前記第１チョーク面で前記第２チョーク面の長さの半分以下にあたる上端部まで延長され形成されたスロット部を含むフィルターとを有することを特徴とするオーブンドアの電磁波遮蔽装置。
【請求項１１】
前記スロット部は、前記第１チョーク面に形成されたスロット幅と前記第２チョーク面に形成されたスロット幅とが等しいことを特徴とする請求項１０に記載のオーブンドアの電磁波遮蔽装置。
【請求項１２】
前記スロット部は、前記第１チョーク面に形成されたスロット幅と前記第２チョーク面に形成されたスロット幅とがお互いに相異なっていることを特徴とする請求項１０に記載のオーブンドアの電磁波遮蔽装置。
【請求項１３】
前記第２チョーク面のスロットの幅は、前記第１チョーク面のスロットの幅より広いことを特徴とする請求項１２に記載のオーブンドアの電磁波遮蔽装置。
【請求項１４】
前記チョーク部は、前記第１チョーク面から少なくとも２回曲折され、前記チョーク部の深さが約ｎλ／４（ｎ＝１、３、５、…）であり、ここで、λは電磁波の波長を表すことを特徴とする請求項１０に記載のオーブンドアの電磁波遮蔽装置。
【請求項１５】
キャビティの前面板と接触するドア内側端部に設置されて、前記キャビティから外部に放射される電磁波を遮蔽する装置において、
前記キャビティの前面板と接触するドア端部の第１チョーク面、および前記第１チョーク面で直角に曲折された第２チョーク面で構成されたチョーク部と、
前記第１および第２チョーク面に沿って一定の間隔でもって、前記第１チョーク面に形成された第１スロットおよび前記第２チョーク面の長さ（Ｌ）の上端部まで形成された第２スロットがお互いに異なる幅に形成されたフィルターとを有しており、
前記第２スロットは、０＜第２スロツトの長さ≦（第２チョーク面の長さの１／２）の条件を満たすことを特徴とするオーブンドアの電磁波遮蔽装置。
【請求項１６】
前記第２チョーク面の長さは、前記第１チョーク面から、ドア内側に曲折されたドア底面までの高さであることを特徴とする請求項１５に記載のオーブンドアの電磁波遮蔽装置。
【請求項１７】
前記チョーク部は、電子レンジまたは電気オーブンのドア内部に設置されることを特徴とする請求項１５に記載のオーブンドアの電磁波遮蔽装置。
【発明の詳細な説明】
【技術分野】
【０００１】
本発明はオーブンドアにおいて、特にキャビティ（cavity）内部から外部に漏洩する電磁波を遮蔽するオーブンドア端部に構成されるスロットの長さの補償を通じて遮蔽性能を改善した電磁波遮蔽装置に関するものである。
【背景技術】
【０００２】
一般的に、電気オーブンレンジは、調理室内部に投入された調理物を電気ヒーターの熱を加熱源に使用して調理する一方で、補助的に他の加熱源を具備したりする。他の加熱源に関しては、例えばマグネトロンを装着してマイクロ波を別途の加熱源として使うようになる。
【０００３】
一般的な電気オーブンレンジの作用を説明をすれば次のようである。
【０００４】
図１に図示されたように、ドア取っ手を掴んでドアを開けケース１の内部に構成されるキャビティ２内に調理物を投入してドア３を閉めた後、前記キャビティ２を密閉させた状態で調理を進行させるようになる。
【０００５】
ここで、ドア３の上端に設置されたドア取っ手４を利用してキャビティ２を開閉するようになる。このとき、前記ケース１の下端とドア３の下端とを連結しているヒンジ（hinge ：図示していない）によって前記ドア３が前／後回転するようになって密閉されたキャビティ２が開閉される。
【０００６】
このとき、キャビティ２の下部とケース１の間に設置された下部ヒーター７によって発生する熱はキャビティ２の底面に伝導され、伝導された熱が再びキャビティ２内部の空気および調理物が載せられたトレー等を通じて調理物に伝逹されるようになる。
【０００７】
また、前記キャビティ２の上部に設置された上部ヒーター９によって発生する熱は、輻射と対流を通じて調理物に伝逹され、対流ヒーター（convection heater ）１１で発生する熱は、対流ファン１３の駆動によって前記キャビティ２の背面に穿孔された多数個の通孔１３ａを経て熱風形態で前記調理物に伝逹されて調理が進行する。
【０００８】
そして、前記キャビティ２の一方の側（上方の側）に設置されたマグネトロン１５によって発振されるマイクロ波は、キャビティ２の上面に装着された導波管１６に沿ってキャビティ２内部に放射されることで、食物加熱源として使われる。このようなマグネトロン１５は使用者が選択的に使用して食べ物の調理に使うことができる。そして、クーリングファン１７は前記マグネトロン１５を含む電場部品等の熱を冷やすようになり、オーブンランプ１８は調理室内部を照明するようになる。
【０００９】
このように、一般的な電気オーブンレンジはマグネトロンで生成される高周波を利用して食べ物を調理するようになるので、調理のときに高周波の漏出防止が必須に要求される。このために、電気オープンレンジはドアを閉めるときにキャビティとドアとの間に一定の狭い隙間が存在して、この隙間は根本的にマグネトロンから発生する電磁波エネルギーが漏洩するスロット導波管を形成するので、このような漏洩を防ぐために電磁波吸収物質を使うとかドアの周囲や開口部の周囲にフィルター（filter）を装着する。前記フィルターは普通１／４波長の分散パラメーターのチョーク部をドア周囲に形成するが、このチョーク部はキャビティと結合される。
【００１０】
このように、高周波を利用して誘電体を加熱する装置（電子レンジ、電気オーブン、ＯＴＲ等）等は図２のようにキャビティ１１０とドア１１１によって電磁波を閉じこめるようになり、電磁波の外部漏洩を遮断するためにキャビティ１１０とドア１１１の接触部にフィルター（filter）を設置するようになる。
【００１１】
このような接触部はオーブンの種類によって図３および図４のように相異なっている構造を有する。図３は電気オーブンでのキャビティとドアの接触部構造で、図４は電子レンジでのキャビティとドアの接触部構造である。
【００１２】
図３は、キャビティ１２０の前面に結合されるドア１２１の内側端部１２２をＬ字形状にしてここにチョーク部１６２が適用された構造で、図４はキャビティ１３０の前面板１３４に接触するドア１３１の内側端部１３２にチョーク部１４２が適用された構造である。このような２つのタイプは、キャビティ１２０、１３０とドア１２１、１３１の端部１２２、１３２に電磁波の外部漏洩を遮断するためのチョーク部１６２、１４２をそれぞれ設置した構成である。
【００１３】
一方、図４のような電子レンジの種類によって図５および図６のようなタイプのフィルター等が適用される。
【００１４】
図５を参照すれば明らかなように、ドアまたはドアフレーム１３１の内側端部には、逆“コ”の字形状（片仮名の“コ”の字の左右を逆にした形状）のチョーク部１４２が形成される。前記チョーク部１４２はチョーク底面１４３、チョーク内側面１４４およびチョーク上面１４５で曲折され、 “┐”形状のスロット１４６が、チョーク上面１４５およびチョーク内側面１４４に一定の間隔（interval）で形成される。
【００１５】
ここで、それぞれのスロット１４６はチョーク上面１４５の全体の長さＬ１およびチョーク内側面１４４の所定の長さＬ２に形成されて、幅Ｗは一定になる。前記チョーク上面１４５はキャビティと対向する構造である。
【００１６】
このようなチョーク部１４２を通じてキャビティ内部から外部に漏洩する電磁波を遮蔽する。
【００１７】
図６を参照すれば明らかなように、ドア１３１の内側端部にチョーク部１５２が形成されるのに対し、前記チョーク部１５２はチョーク底面１５３、チョーク内側面１５４およびチョーク上面１５５が 逆“コ”の字形状に折曲される。そして、スロット１５６は一定の間隔でもって、前記チョーク内側面１５４およびチョーク上面１５５に“┐”字形状に形成される。
【００１８】
それぞれのスロット１４６はチョーク上面１４５の全体の長さＬ１１およびチョーク内側面１４４の所定の長さＬ１２に形成されるのに対し、チョーク内側面１５４のスロット幅Ｗ１２がチョーク上面１５５のスロット幅Ｗ１１より広く形成される構造である。
【００１９】
図７は、図５および図６のようなフィルターによる漏洩遮蔽特性結果を示すグラフである。図７に図示されたように、図５および図６のようなチョーク部にお互いに異なる入射角Ｉ１、Ｉ２およびＩ３を有する高周波が入射される場合、遮蔽特性は、一番良い最適遮蔽周波数ｆｏにより決まる。しかし、入射角Ｉ１（３６．９゜）、Ｉ２（２３．４゜）およびＩ３（１６．７゜）によってＹ軸方向で中間支点での遮蔽特性が最適遮蔽周波数（約６０ｄＢ程度、ｆｏ）というときに、入射角１６．７゜、２３．４゜および３６．９゜によって最適遮蔽周波数ｆｏがｆｏ′に移動して特定の一つの周波数（single frequency）での遮蔽性能が制限される。すなわち、入射角が１６．７゜→ ２３．４゜→ ３６．９゜に増加するほど最適遮蔽周波数ｆｏが低くなる特性を持つようになる。
【００２０】
図８は従来の他のフィルターの種類を示す図である。これは図３のような電気オーブンにおいて主に使われるフィルターである。
【００２１】
図８を参照すれば明らかなように、ドア１２１の内側端部に形成されるチョーク部１６２はチョーク底面１６３、チョーク内側面１６４およびチョーク上面１６５に曲折され、前記チョーク上面１６５にだけ一定の間隔のスロット１６６が形成される。すなわち、スロット１６６はチョーク上面全体の長さＬ２１に形成されるのではなく、全体の長さでチョーク上面１６５の曲折部位で所定の間隔を置いた距離Ｌ２３を除いた残り部分Ｌ２２に形成される。すなわち、スロットの長さＬ２２は、チョーク上面全体の長さＬ２１で間隔を置いた距離Ｌ２３位を除いた長さになる。
【００２２】
そして、マグネトロン（magnetron ）からキャビティに入射される電磁波はキャビティで特定の形態のモード（mode）にて共振する。このような多様な形態のモードはオーブンドアへの入射角を決定するようになる。そして、多様な入射角を有する電磁波の遮蔽は単純な構造のｎλ／４（ｎ＝１、３、５、…）チョーク（ここで、λは電磁波の波長を表す）では達成が難しいため、複数のスロット１５６、１６６が一定の間隔で形成される。このようなスロットの間隔は、任意の入射角でもって入射される電磁波を効果的に遮蔽するように設計される。
【００２３】
したがって、フィルターの性能を決定した重要な量の一つで入射角依存性がある。キャビティ内部で形成される電磁波は非常に複雑な分布を持つためにドアの方に０〜９０度に至る多様な角度でもって入射するようになる。そして、電磁波の多様な入射角度に関係なく前記入射電磁波等を適切に遮断することができるようにするために、良好なフィルターが要求される。言い換えれば、この良好なフィルターは入射角依存性があってはいけない。現在のフィルター等は根本的に入射角依存性が生ずるという問題を有している。既存フィルター等のシミュレーション結果は図７および図９のように示される。
【００２４】
図９は図８のようなフィルターの漏洩遮蔽特性結果を示すグラフである。図９を参照すれば、図８のようなチョーク部にお互いに異なる入射角（Ｉ１１＝１５．６゜、Ｉ１２＝２１．７゜、Ｉ１３＝３５．６゜）を持つ高周波が入射される場合、遮蔽特性は入射角度が増加することによって最適遮蔽周波数が増加するようになる。すなわち、入射角Ｉ１１＝１５．６゜のとき最適遮蔽周波数はｆｏで、入射角もＩ１３＝３５．６゜のとき最適遮蔽周波数はｆｏ′になることがわかる。
【００２５】
このように、図７および図９は既存フィルター等に対するシミュレーション結果として、電磁波遮蔽特性を示している。グラフのＹ軸（漏れ）で１０ｄＢずつ減少するほど遮蔽性能が１０倍ずつ増加するようになる。例えば、−１０ｄＢより−３０ｄＢのほうが遮蔽性能が１００倍良好であることを示すグラフを通じて見れば、フィルター等は共通的に特定周波数（ｆｏ）で１００ｄＢ以下で遮蔽性能が最大になっているし（ｆｏ）、このときの周波数が最適遮蔽周波数ｆｏに該当する。
【００２６】
ここで、図７および図９では総入射角は０゜≦入射角≦９０゜のように多様であるが、説明の便宜のために３つだけ例で表示したものである。
【００２７】
しかし、既存のフィルター等は図７および図９からわかるように、０〜９０度に至る全体入射角の中で一部の入射角に対しても最適遮蔽周波数がｆｏからｆｏ′で増加するかまたは低くなる特性を持っている。
【００２８】
したがって、同時に多様な角度で入射する特定周波数の漏洩波を防ぐには限界がある。
【００２９】
また、電子レンジや電気オーブンの種類等は単一周波数で作動するので、キャビティから出る多様な入射角の電磁波等に対してこれらのフィルター等は他の遮蔽特性を持つようになる。この場合、遮蔽性能については、一番悪い遮蔽量が遮蔽性能に直接関係するので、これらのフィルター等は根本的に遮蔽性能に限界を有するしかないという問題がある。
【発明の開示】
【発明が解決しようとする課題】
【００３０】
本発明の一つの目的は、チョーク部に入射される入射角が増加するほど最適遮蔽周波数が増加する第１フィルタータイプと、入射角が増加するほど最適遮蔽周波数が減少する第２フィルタータイプの中間の深さでスロットを形成して、入射角の依存特性を減少させるとか完全に無くすようにするオーブンドアの電磁波遮蔽装置を提供することである。
【００３１】
本発明の他の目的は、ドア内側のチョーク底面およびチョーク内側面、そしてチヨ―ク上面に曲折されたチョーク部に、前記チョーク上面およびチョーク内側面の上端部まで延長されたスロットを形成するようにしたオーブンドアの電磁波遮蔽装置を提供することである。
【００３２】
本発明のさらに他の目的は、チョーク上面とチョーク内側面の所定の深さまでスロットを形成するが、チョーク上面のスロット幅よりチョーク内側面のスロット幅がより広く形成されたオーブンドアの電磁波遮蔽装置を提供することである。
【課題を解決するための手段】
【００３３】
本発明は、電磁波の入射角の依存性を減少させることや無くすことができる中間形態のスロットを持つ電磁波遮蔽装置を提供することにその目的がある。
【００３４】
本発明の一つの態様に係るオーブンドアの電磁波遮蔽装置は、キャビティ内部から外部に漏洩する多様な形態の入射角を有する電磁波を遮蔽するためのオーブンドアの電磁波遮蔽装置において、前記ドアの内側に連結されたチョーク底面、前記チョーク底面から垂直に曲折されたチョーク内側面、および、前記チョーク内側面から曲折されてキャビティの周囲面と接触するチョーク上面を具備したチョーク部と、前記チョーク上面および前記チョーク内側面に、一定の間隔でもって、チョーク上面の終端からチョーク内側面の長さの半分以下まで延長され形成されたスロット部（単にスロットと呼ぶこともある）とを含むことを特徴とする。
【００３５】
本発明の他の態様に係るオーブンドアの電磁波遮蔽装置は、キャビティの前面板と接触するドアの内側端部で“Ｌ”字形に曲折されてその曲折された位置で前記キャビティから外部に放射される電磁波を遮蔽する装置において、ドア端部の第１チョーク面、および前記第１チョーク面で直角に曲折された第２チョーク面で構成されたチョーク部と、前記第１および第２チョーク面に沿って一定の間隔でもって形成され、前記第１チョーク面で前記第２チョーク面の長さの半分以下にあたる上端部まで延長され形成されたスロット部を含むフィルターとを有することを特徴とする。
【００３６】
本発明のさらに他の態様に係るオーブンドアの電磁波遮蔽装置は、キャビティの前面板と接触するドア内側端部に設置され、前記キャビティから外部に放射される電磁波を遮蔽する装置において、キャビティの前面板と接触するドア端部の第１チョーク面、および前記第１チョーク面で直角に曲折された第２チョーク面で構成されたチョーク部と、前記第１および第２チョーク面に沿って一定の間隔でもって、前記第１チョーク面に形成された第１スロットおよび前記第２チョーク面の長さ（Ｌ）の上端部まで形成された第２スロットがお互いに異なる幅に形成されたフィルターとを有しており、前記第２スロットは、０＜第２スロツトの長さ≦（第２チョーク面の長さの１／２）の条件を満たすことを特徴とする。
【００３７】
今まで本発明に対してその望ましい態様を中心に説明したが、本発明が属する技術分野で通常の知識を有する者は、本発明の本質的な技術範囲内で下記の本発明の詳細な説明と違う形態の実施例等を具現することができるはずである。ここで、本発明の本質的な技術範囲は特許請求の範囲に示されているし、それと同等な範囲内にある全ての差異点は本発明に含まれるものと解釈されなければならないはずである。
【発明を実施するための最良の形態】
【００３８】
本発明によるオーブンドアの電磁波遮蔽装置に対して添付された図面を参照して説明すれば次のようである。
[第１実施例]
図１０は本発明の第１実施例を示す図である。
【００３９】
図１０に図示されたように、ドア２０１の内側端部にはキャビティの周囲の前面板と接触するチョーク部２０２が形成される。前記チョーク部２０２はチョーク底面２０３、チョーク内側面２０４およびチョーク上面２０５が、逆“コ”の字形状に曲折される。
【００４０】
前記チョーク底面２０３はドアフレームと一体化された底面で、チョーク内側面２０４はチョーク底面２０３からキャビティ方向に垂直に曲折されて、チョーク上面２０５はドアフレーム端部でチョーク内側面２０４からキャビティの前面板と対面する方向に曲折される。ここで、チョーク部のホーム（溝部）（groove）の深さはｎλ／４（ｎ＝１、３、５、…）である。
【００４１】
このようなチョーク部２０２は、チョーク上面２０５およびチョーク内側面２０４に所定の間隔を有するスロット（特許請求の範囲の「スロット部」に対応する）２０６を形成し、キャビティ内部からドア外部に漏洩する電磁波を遮蔽する。
【００４２】
このために、前記スロット２０６は、チョーク上面２０５の全体の長さＬ３１およびチョーク内側面２０４の上端部まで切開された“┐”形状のホームで構成される。
【００４３】
ここで、チョーク上面２０５に形成されるスロットは長スロット２０６ａで、チョーク内側面２０４に形成されるスロットは短スロット２０６ｂである。前記長スロット２０６ａはチョーク上面２０５の全体の長さＬ３１に該当し、短スロット２０６ｂはチョーク内側面２０４の上端部の長さＬ３２に該当する。そして、前記短スロットの長さＬ３２は、０よりは大きくてチョーク内側面の長さＬ３３の１／２以下、すなわち、
０＜Ｌ３２≦（Ｌ３３／２）
に形成される。
【００４４】
このような本発明のスロット２０６は、図５のチョーク部に形成されたスロット１４６よりは短くて図８のようなスロット１６６よりは長く構成するようになることで、図３および図４のような加熱調理機器のドア内部に全て適用可能で、２種類のフィルタータイプに対して構造的に中間タイプになることができるようにしたものである。
【００４５】
言い換えれば、本発明のスロット２０６は、既存の図５および図６のようなフィルタータイプで入射角が増加するほど最適遮蔽周波数ｆｏが低くなる第１電磁波遮蔽特性と、図８のようなフィルタータイプで入射角が増加するほど最適遮蔽周波数ｆｏが増加する第２電磁波遮蔽特性の中間位の深さ（すなわち、長さ）で形成されるので、入射角の依存特性を減少させるとか完全に無くすことができる。
【００４６】
第１実施例では、チョーク内側面２０４に形成された短スロット２０６ｂの長さによって遮蔽特性が変わるので、短スロットの長さは必ず０よりは大きくなければならなくてチョーク内側面の長さＬ３３の１／２以下の長さを持つように形成することができる。
【００４７】
そして、前記のスロット２０６は同一幅（Ｗ）として、長スロット２０６ａと短スロット２０６ｂの幅が等しく構成される。あるいは、長スロット２０６ａの幅（Ｗ）と短スロット２０６ｂの幅（Ｗ）とはお互いに等しくないこともある。
[第２実施例]
図１１は本発明の第２実施例を示す図である。
【００４８】
図１１を参照すれば明らかなように、ドア２１１の内側端部にはキャビティの周囲の前面板と接触するチョーク部２１２が形成される。前記チョーク部２１２はチョーク底面２１３、チョーク内側面２１４およびチョーク上面２１５が逆“コ”の字形状で曲折して形成される。
【００４９】
前記チョーク底面２１３はドアフレームと一体化された底面で、チョーク内側面２１４はチョーク底面２１３からキャビティ方向（Ｚ）に垂直に曲折されて、チョーク上面２１５はドアフレーム端部でチョーク内側面２１４からキャビティの前面板と対面する方向に曲折される。
【００５０】
このようなチョーク部２０２は、チョーク上面２１５およびチョーク内側面２１４に所定の間隔を有するスロット２１６を形成し、キャビティ内部からドア外部に漏洩する電磁波を遮蔽する。
【００５１】
このために、前記スロット２１６は、チョーク上面２１５の全体の長さＬ４１およびチョーク内側面２１４の上端部まで切開された“┐”形状のホームで構成されて、お互いに違う幅Ｗ４１、Ｗ４２に形成される。
【００５２】
前記チョーク対面２１５に形成されるスロットは長スロット２１６ａで、チョーク内側面２１４に形成されるスロットは短スロット２１６ｂである。前記長スロット２１６ａはチョーク上面２１５の全体の長さＬ４１に該当し、短スロット２１６ｂはチョーク内側面２１４の上端部の長さＬ４２に該当する。前記の長スロット２０６ａの幅Ｗ４１と短スロット２０６ｂの幅Ｗ４２は相異なっている幅に形成される。
【００５３】
そして、前記短スロットの長さＬ４２は、チョーク内側面の長さＬ４３の１／２以下で０より大きく形成され、短スロット２１６ｂの幅は、長スロット２１６ａの幅より広く形成される。
【００５４】
本発明に係るチョーク部の長スロットおよび短スロットは、電波経路をなす短絡電送線路で動作するようになっており、長スロットと短スロットの長さの合計によってチョーク部に入射される多様な入射角を有する電磁波に対して遮蔽特性を有するようになる。
【００５５】
本発明の他の実施例として、図１２および図１３に図示されたチョーク部２２１、２３１においてスロット２２６、２３６の幅が他の場合であるような例を示す。
【００５６】
図１２を参照すれば明らかなように、スロット２２６の長スロット２２６ａと連結される短スロット２２６ｂの幅は、長スロット２２６ａの幅と等しく形成され、また一方で、短スロット２２６ｂの下部に該当するチョーク内側面２２４の下端から一定の長さ程度まで、短スロット２２６ｂの幅は、長スロット２２６ａの幅よりも広い幅Ｗ４２でもって形成される構成になっている。
【００５７】
図１３では、スロット２３６の長スロット２３６ａの第１の部分は、第１の幅Ｗ４１になっており、第２の部分は、第１の幅Ｗ４１よりも広い第２の幅Ｗ４２になっている。ここで、長スロット２３６ａの第２の部分は短スロット２３６ｂに連結されており、この短スロット２３６ｂの幅は、長スロット２３６ａの第２の部分における第２の幅Ｗ４２に等しくなっている。換言すれば、長スロット２３６ａの第１の部分の幅は、短スロット２３６ｂの幅よりも狭く形成される。
【００５８】
前述の図１２および図１３を見ればわかるように、短スロット２２６ｂ、２３６ｂの長さはチョーク内側面の長さの半分以下に形成されるが、図１２および図１３のスロットは、幅の広いスロットの始まる位置が相異なっている構造になっている。
【００５９】
本発明のさらに他の実施例として、図１４のチョーク部２４１は、ホームの深さがλ／４である他の形態の構造を示すものである。図１４を参照すれば明らかなように、チョーク部２４２は、当該チョーク部２４２のチョーク内側面２４４からチョーク上面２４５まで曲折されて、前記チョーク上面２４５から再び前記チョーク内側面２４４と対向するように曲折されたチョーク外側面２４５ａを形成した構造になっている。このときのスロット２４６の長スロット２４６ａの幅と短スロット２４６ｂの幅とは等しいか相異なっていることもあり、チョーク外側面２４５ａのスロットの長さがチョーク内側面のスロットの長さより同じか大きく形成される。
【００６０】
前記チョーク部は、チョーク内側面から少なくとも２回曲折され、チョーク部のホームの深さが約λ／４である。
【００６１】
このような本発明の実施例に係るオーブンドアフィルターの遮蔽特性は図１５に図示されたようになっている。
【００６２】
図１５は本発明のフィルターによる電磁波遮蔽特性を示すグラフである。このグラフでは、多様な入射角に対しても最適遮蔽周波数ｆｏが変わらないので、入射角による依存性が存在しなくなる。
【００６３】
本発明のフィルターの遮蔽特性に関するシミュレーションを行った結果、入射角が１５．６゜から３６．７゜まで変わっても最適遮蔽周波数ｆｏは常に一定である。このタイプのフィルターは、従来の図６および図８のようなフィルターでの最適遮蔽周波数が動作するような既存フィルター（６０ｄＢ）に比べて、約１０００倍以上の遮蔽性能（９０ｄＢ）にまで向上する。このような電磁波遮蔽特性の改善によって、電子製品でのＥＭＩの問題に対処することができる。
【００６４】
したがって、本発明は、電子レンジまたは電気オーブン等のドア内部にチョーク上面の長スロットおよびチョーク内側面の短スロットを有するフィルターを提供した構造である。
【産業上の利用可能性】
【００６５】
前述したように、本発明に係るオーブンドアの電磁波遮蔽装置によれば、チョーク内側面とチョーク上面に一定の間隔で形成されたスロットを既存フィルターに比べて中間形態で取り上げることで、遮蔽特性の入射角を減少させたり無くしたりすることができる効果がある。
【００６６】
また一方で、本発明の他の効果として、既存フィルターより数千倍以上の遮蔽性能を有するので、電子製品のＥＭＩ性能向上に効果がある。
【００６７】
さらに他の効果として、電磁波遮蔽特性が優れているので、電磁波エネルギー源で調理する全てのタイプの加熱調理機器に対して本発明のフィルターを適用することが可能になるという効果がある。
【図面の簡単な説明】
【００６８】
【図１】一般的な電気オーブンレンジの構成図である。
【図２】電子加熱調理機器の概略構成図である。
【図３】オーブンドアの電磁波遮蔽構造の一例を示す概路図である。
【図４】オーブンドアの電磁波遮蔽構造の他の例を示す概路図である。
【図５】従来の電子レンジのドア端部に構成されたフィルター構造を表す詳細構成図である。
【図６】従来の電子レンジのドア端部に構成されたフィルター構造を表す詳細構成図である。
【図７】図５および図６のフィルターによる電磁波遮蔽特性を示すグラフである。
【図８】従来の電気オーブンのドア端部に構成されたフィルター構造を示す詳細構成図である。
【図９】図８に図示されたフィルターによる電磁波遮蔽特性を示すグラフである。
【図１０】本発明の第１実施例に係るオーブンドアの電磁波遮蔽装置として、フィルター構造を示す詳細構成図である。
【図１１】本発明の第２実施例に係るオーブンドアの電磁波遮蔽装置として、フィルターの他の構造を示す詳細構成図である。
【図１２】本発明の他の実施例に係るオーブンドアの電磁波遮蔽装置として、フィルターのスロット幅に関する他の構造を示す詳細構成図である。
【図１３】本発明の他の実施例に係るオーブンドアの電磁波遮蔽装置として、フィルターのスロット幅に関する他の構造を示す詳細構成図である。
【図１４】本発明の他の実施例に係るオーブンドアの電磁波遮蔽装置として、チョーク部の他の構造を示す詳細構成図である。
【図１５】本発明フィルターによる電磁波遮蔽特性を示すグラフである。
【符号の説明】
【００６９】
２０１、２１１、２２１、２３１、２４１    ドア
２０２、２１２、２２２、２３２、２４２    チョーク部
２０３、２１３、２２３、２３３、２４３    チョーク底面
２０４、２１４、２２４、２３４、２４４    チョーク内側面
２０５、２１５、２２５、２３５、２４５    チョーク上面
２０６、２１６、２２６、２３６、２４６    スロット
２０６ａ、２１６ａ、２２６ａ、２３６ａ、２４６ａ    長スロット
２０６ｂ、２１６ｂ、２２６ｂ、２３６ｂ、２４６ｂ    短スロツト
【図１】
2005106461.tif 000003
【図２】
2005106461.tif 000004
【図３】
2005106461.tif 000005
【図４】
2005106461.tif 000006
【図５】
2005106461.tif 000007
【図６】
2005106461.tif 000008
【図７】
2005106461.tif 000009
【図８】
2005106461.tif 000010
【図９】
2005106461.tif 000011
【図１０】
2005106461.tif 000012
【図１１】
2005106461.tif 000013
【図１２】
2005106461.tif 000014
【図１３】
2005106461.tif 000015
【図１４】
2005106461.tif 000016
【図１５】
2005106461.tif 000017